(57)【特許請求の範囲】
【請求項１】
管状で上下方向に延び、冷却塔のルーバと対向して配設され、管内に洗浄用の高圧流体が供給される洗浄管と、
前記洗浄管に上下方向に沿って複数配設され、前記洗浄管の管内に供給された高圧流体を前記ルーバに向けて噴射する洗浄ノズルと、
前記洗浄管を搭載し、移動自在な洗浄台車と、
前記洗浄ノズルの噴射角度を、前記洗浄ノズルから遠隔の床上の作業者が手動で調整可能な噴射角度変更手段と、備え、
前記噴射角度変更手段は、前記洗浄管と平行に延びて配設された操作棒で構成され、該操作棒を上下方向に移動させることで、前記洗浄ノズルの噴射角度が同一方向に変わるようになっている、
ことを特徴とする冷却塔ルーバの洗浄装置。
【請求項２】
前記洗浄ノズルは、前記洗浄管に取り付けられたソケットに対して回動自在な接続管を介して配設され、前記操作棒を上下方向に移動させることで、前記各接続管が回動して前記洗浄ノズルの噴射角度が同一方向に変わる、
ことを特徴とする請求項１に記載の冷却塔ルーバの洗浄装置。
【請求項３】
前記洗浄台車を前記ルーバに沿って案内するガイド手段を備え、
該ガイド手段は、前記ルーバに水平方向に延びて配設されたガイドレールと、前記洗浄管に取り付けられ前記ガイドレールと係合するガイドユニットと、を備え、前記洗浄台車を動かすと、前記ガイドユニットと前記洗浄管と前記洗浄台車が、前記ガイドレールに沿って移動する、
ことを特徴とする請求項１または２のいずれか１項に記載の冷却塔ルーバの洗浄装置。
【発明の詳細な説明】
【技術分野】
【０００１】
この発明は、冷却塔のルーバを高圧水などで洗浄するための冷却塔ルーバの洗浄装置に関する。
【背景技術】
【０００２】
冷却塔のルーバには、散布水が飛散することにより、泥などの塔外の汚れ物質が付着したり、シリカが付着したりする。特に、シリカは固形物として堆積し、取り入れられる外気（取入外気）の流路を狭め、取入外気量の減少により、冷却塔の冷却能力を低下させてしまう。このため、定期的にルーバを洗浄し、流路を確保する必要がる。
【０００３】
また、高所に設置されている冷却塔の点検を安全かつ容易に行うために、冷却塔の外壁に梯子を水平方向に移動可能に設置した技術が知られている（例えば、特許文献１参照。）。さらに、ルーバ周りで散布水が凍結して閉塞するのを防止するために、冷却塔の内壁の下部周辺に冷却水の一部を散水して、結氷を融解する技術が知られている（例えば、特許文献２参照。）。
【先行技術文献】
【特許文献】
【０００４】
【特許文献１】特開平０８−１７８５８６号公報
【特許文献２】特開２００５−２０７６８２号公報
【発明の概要】
【発明が解決しようとする課題】
【０００５】
ところで、市街地など敷地面積が狭い場所の屋上に冷却塔を設置せざるを得ない場合があり、このような場合、高所での保守作業等のための歩廊スペースを確保することが困難である。また、敷地面積が狭い場所では、冷却塔を平面的に広く設置することができず、高さを高く設定・設計して、冷却水に対する冷却能力を確保する必要がある。このように作業スペースが狭く、かつ高所である作業条件下で、ルーバを洗浄する作業は、作業者にとって負担が大きく、さらに、高所では梯子を登っての作業となるため、安全性を確保するために落下防止用の手すりを要するなど、保安設備に多くの費用を要する。
【０００６】
また、特許文献１の技術でも、冷却塔に設置された梯子に作業者が登って、ルーバの洗浄作業を行わなければならず、作業者に負担が大きく、また、安全性を確保する措置・対策が必要となる。さらに、特許文献２の技術では、冷却塔の内壁の一部である定位置に対して、ノズルを固定した状態で冷却水を散水するのみであり、ルーバ全体を洗浄することはできない。
【０００７】
そこでこの発明は、容易かつ安全に冷却塔のルーバを洗浄することが可能な冷却塔ルーバの洗浄装置を提供することを目的としている。
【課題を解決するための手段】
【０００８】
上記課題を解決するために、請求項１に記載の発明は、管状で上下方向に延び、冷却塔のルーバと対向して配設され、管内に洗浄用の高圧流体が供給される洗浄管と、前記洗浄管に上下方向に沿って複数配設され、前記洗浄管の管内に供給された高圧流体を前記ルーバに向けて噴射する洗浄ノズルと、前記洗浄管を搭載し、移動自在な洗浄台車と、前記洗浄ノズルの噴射角度を、前記洗浄ノズルから遠隔の床上の作業者が手動で調整可能な噴射角度変更手段と、備え、前記噴射角度変更手段は、前記洗浄管と平行に延びて配設された操作棒で構成され、該操作棒を上下方向に移動させることで、前記洗浄ノズルの噴射角度が同一方向に変わるようになっている、ことを特徴とする冷却塔ルーバの洗浄装置である。
【０００９】
この発明によれば、高圧水などの高圧流体を洗浄管に供給すると、各洗浄ノズルからルーバに向けて高圧流体が噴射され、ルーバが洗浄される。また、上下方向に複数の洗浄ノズルが配設されているため、高さ方向のルーバを一括して洗浄することが可能となる。さらに、洗浄台車を移動させることで、洗浄管および洗浄ノズルが移動し、ルーバの所望の位置が洗浄される。また、噴射角度変更手段によって洗浄ノズルの噴射角度を調整することで、作業者が高所で操作を行うことなく、ルーバの表面や裏面などの各部位が洗浄される。
【００１０】
請求項２の発明は、請求項１に記載の洗浄装置において、前記洗浄ノズルは、前記洗浄管に取り付けられたソケットに対して回動自在な接続管を介して配設され、前記操作棒を上下方向に移動させることで、前記各接続管が回動して前記洗浄ノズルの噴射角度が同一方向に変わる、ことを特徴とする。
【００１２】
請求項３の発明は、請求項１または２に記載の洗浄装置において、前記洗浄台車を前記ルーバに沿って案内するガイド手段を備え、該ガイド手段は、前記ルーバに水平方向に延びて配設されたガイドレールと、前記洗浄管に取り付けられ前記ガイドレールと係合するガイドユニットと、を備え、前記洗浄台車を動かすと、前記ガイドユニットと前記洗浄管と前記洗浄台車が、前記ガイドレールに沿って移動する、ことを特徴とする。
【発明の効果】
【００１３】
請求項１に記載の発明によれば、上下方向に沿って配設された複数の洗浄ノズルから、ルーバに向けて高圧流体が噴射されるため、作業者が梯子などに登って作業を行わなくても、ルーバを洗浄することができる。また、洗浄台車によって洗浄位置を変えられるため、ルーバ全体を適正に洗浄することが可能となる。このように、容易かつ安全に冷却塔のルーバを洗浄することが可能となる、しかも、洗浄管が搭載された洗浄台車を配設可能なスペースを有するだけでよいため、歩廊スペースなどを確保することが困難な作業環境であっても、本装置を使用して、ルーバを洗浄することが可能となる。
【００１４】
また、洗浄ノズルの噴射角度を変えて、ルーバの各部位を適正に洗浄することができる。しかも、遠隔で噴射角度を変えることができるため、容易かつ安全にルーバ全体を洗浄することが可能となる。
【００１５】
請求項３に記載の発明によれば、ガイド手段によって洗浄台車がルーバに沿って案内され、移動するため、容易に移動することができるとともに、各洗浄ノズルとルーバとの位置関係を常に適正に保って、ルーバ全体に対して適正に洗浄することが可能となる。
【図面の簡単な説明】
【００１６】
【図１】この発明の実施の形態に係る冷却塔ルーバの洗浄装置が設置された状態を示す正面図である。
【図２】図１の洗浄装置の側面図である。
【図３】図１の洗浄装置が設置される冷却塔の概略平面図である。
【図４】図１の洗浄装置の洗浄台車周辺を示す正面図（ａ）と側面図（ｂ）である。
【図５】図１の洗浄装置の洗浄ノズル周辺を示す側面図である。
【図６】図５におけるソケットとプラグの着脱状態を示す図である。
【図７】図１の洗浄装置の操作棒を操作した状態を示す図である。
【図８】図１の洗浄装置のガイドレールとガイドユニットとの関係を示す平面図（ａ）とそのＡ−Ａ断面図（ｂ）である。
【発明を実施するための形態】
【００１７】
以下、この発明を図示の実施の形態に基づいて説明する。
【００１８】
図１、２は、この発明の実施の形態に係る冷却塔ルーバの洗浄装置（以下、単に「洗浄装置」とも言う）１を示す正面図と側面図である。この洗浄装置１は、冷却塔１００のルーバ１０１を高圧水（高圧流体）で洗浄するための装置であり、主として、洗浄管２と、洗浄ノズル３と、操作棒（噴射角度変更手段）４と、洗浄台車５と、ガイドレール６とを備えている。ここで、この実施の形態では、冷却塔１００は、地上２２．５ｍの建物の屋上に設置され、冷却塔１００の天板は、建物の屋上面から４．８ｍの高さに位置し、道路に面しているため、点検歩廊を張り出すことができず、冷却塔１００の外周と手すりとの距離は、約５５０ｍｍとなっている。そして、図３に示すように、このような冷却塔１００の長手方向に延びる両側部１０２に、洗浄装置１が設置されている。
【００１９】
洗浄管２は、円管で垂直方向に延び、ルーバ１０１と対向して配設されている。また、図４に示すように、下端部に接続プラグ２１が設けられ、この接続プラグ２１に給水ホースが接続されて、管内に洗浄用の高圧水が供給されるようになっている。すなわち、図３に示すように、冷却塔１００の長手方向の両端中央部に清掃用のカラン１０３が設けられ、このカラン１０３に高圧ポンプ（高圧洗浄機、図示せず）が接続され、さらに高圧ポンプの下流側・吐出側に接続口（取水出口）が設けられている。そして、この接続口に、給水ホースの一端部を接続し、給水ホースの他端部を接続プラグ２１に接続する。
【００２０】
これにより、建物の屋上の床Ｇ近くに横引きされた給水本管からの水道水が、カラン１０３を経て高圧ポンプに供給され、高圧ポンプで昇圧されて、給水ホースを介して洗浄管２内に供給されるものである。ここで、給水ホースは、合成ゴム製の耐圧ホースで、給水本管の両端まで移動できるように、その長さが設定されている。また、接続口には、元バルブが設けられ、この元バルブを開くと高圧ポンプが起動するようになっている。
【００２１】
洗浄ノズル３は、洗浄管２の管内に供給された高圧水をルーバ１０１に向けて噴射するノズルであり、洗浄管２に配設されている。すなわち、図５〜７に示すように、洗浄管２にソケット２２が取り付けられ、このソケット２２に脱着自在なプラグ３２が、接続管３１の第１の管部３１ａの端部に取り付けられている。この接続管３１は、略Ｌ字形に曲がった円管で、第２の管部３１ｂの端部に洗浄ノズル３が取り付けられ、ソケット２２に対して回動自在となっている。これにより、洗浄管２内の高圧水が、ソケット２２、プラグ３２および接続管３１を介して、洗浄ノズル３から噴射されるようになっている。
【００２２】
このような洗浄ノズル３が、洗浄管２の上下方向に沿って複数配設されている。すなわち、洗浄ノズル３の噴射面積や後述する噴射角度範囲などを考慮して、ルーバ１０１全体が漏れなく均等に洗浄されるように、各洗浄ノズル３の配設間隔および配設数が設定されている。また、洗浄ノズル３とルーバ１０１との距離は、ルーバ１０１に付着したシリカなどが確実に除去・洗浄され、かつ、各洗浄ノズル３でできるだけ広く洗浄できるように設定されている。同様に、洗浄ノズル３からの噴射圧は、高圧ポンプの能力に依存するが、ルーバ１０１に付着したシリカなどを確実に除去・洗浄できる大きさに、設定されている。
【００２３】
操作棒４は、各洗浄ノズル３の噴射角度を遠隔、ここでは、床Ｇ上を歩行する作業者Ｍの手元で手動にて変更・調整するものであり、洗浄管２と平行に垂直方向に延びて配設されている。すなわち、操作棒４は、棒状で、各接続管３１に対向して操作用Ｕ字ボルト４１が取り付けられ、この操作用Ｕ字ボルト４１内に接続管３１の第２の管部３１ｂが、洗浄ノズル３が斜め下方に向くように挿入されている。そして、図７に示すように、操作棒４を上下方向に移動させることで、ソケット２２を中心にして各接続管３１が回動し、各洗浄ノズル３の噴射角度が変わるものである。このように、ひとつの操作棒４を操作することで、すべての洗浄ノズル３の噴射角度が、同一方向に変わるようになっている。ここで、操作棒４の長さは、床Ｇに立っている作業者Ｍが容易に把持でき、かつ作業や通行の邪魔にならないように、設定されている。
【００２４】
洗浄台車５は、洗浄管２などを搭載し、移動自在な台車であり、図４に示すように、台車本体５１と２つの車輪５２とを備えている。台車本体５１は、断面が略コ字形で、側板部５１ａが垂直に面し、この側板部５１ａに２つの固定用Ｕ字ボルト５３が取り付けられている。これらの固定用Ｕ字ボルト５３は、各中心が一致するように上下方向に配設され、これらの固定用Ｕ字ボルト５３内に洗浄管２が挿入された状態で、洗浄管２が洗浄台車５に固定されている。ここで、側板部５１ａが冷却塔１００の一側面（ルーバ１０１を有する面）と平行になるように、洗浄台車５がセットされる。
【００２５】
また、車輪５２は、台車本体５１の下面部５１ｂに配設され、その回転方向が、側板部５１ａの板面方向と同方向に、つまり、後述するようにしてルーバ１０１に沿うように、配設されている。このような洗浄台車５を動かすことで、洗浄管２、各洗浄ノズル３および操作棒４などが、移動するようになっている。
【００２６】
ガイドレール６は、洗浄台車５をルーバ１０１に沿って水平方向に案内するレールであり、図１に示すように、ルーバ１０１の下端部と中央部とに、それぞれ水平方向に延びるように配設されている。このガイドレール６は、図８に示すように、断面が略コ字形で、コ字の開口両端部に、垂直方向に延びる係合部６１が形成されている。
【００２７】
一方、洗浄管２の各ガイドレール６に対向する部位には、ガイドユニット７が取り付けられている。このガイドユニット７は、略コ字形のユニットフレーム７１の開口両端部に、ローラ７２が回転自在に配設され、このローラ７２には、係合溝７２ａが形成されている。そして、この係合溝７２ａにガイドレール６の係合部６１が係合することで、ガイドユニット７がガイドレール６に沿って案内されるようになっている。
【００２８】
また、ユニットフレーム７１のローラ７２に対向する取付面部７１ａには、ガイド用Ｕ字ボルト７３が取り付けられ、このガイド用Ｕ字ボルト７３内に洗浄管２が挿入された状態で、洗浄管２がユニットフレーム７１で支持されている。ここで、ローラ７２からガイド用Ｕ字ボルト７３までの距離は、洗浄ノズル３とルーバ１０１との距離が上記のようになるように、設定されている。そして、洗浄台車５を車輪５２の回転方向に動かすと、ガイドユニット７、洗浄管２および洗浄台車５などが、ガイドレール６に沿って移動するものである。このようなガイドレール６とガイドユニット７とによって、ガイド手段が構成されている。
【００２９】
次に、このような構成の洗浄装置１の作用などについて説明する。
【００３０】
まず、給水ホースを洗浄管２の接続プラグ２１に接続した状態で、給水ホースの一端部を給水本管の接続口に接続し、接続口に設けられた元バルブを開く。これにより、元バルブが開くとともに高圧ポンプが起動し、各洗浄ノズル３からルーバ１０１に向けて高圧水が噴射され、ルーバ１０１に付着した泥やシリカなどが、高圧水によって除去される。
【００３１】
次に、床Ｇに立っている作業者Ｍが操作棒４を上下方向に動かすことで、各洗浄ノズル３の噴射角度が所望の角度に変わり、ルーバ１０１の所望の部位が洗浄される。例えば、洗浄ノズル３の噴射角度を上向きにすることで、洗浄ノズル３よりも高く位置するルーバ１０１の裏面（床側）が主として洗浄され、噴射角度を下向きにすることで、洗浄ノズル３よりも低く位置するルーバ１０１の表面（天空側）が主として洗浄される。
【００３２】
このようにしてルーバ１０１の一部（噴霧水の水平方向の到達距離の範囲）縦方向の洗浄が終了した後に、作業者Ｍが洗浄管２を水平方向に押すと、上記のようにして、ガイドユニット７、洗浄管２および洗浄台車５などが、ガイドレール６に沿って、つまりルーバ１０１の配設面に沿って水平に移動する。そして、所望の位置で移動を止めると、その位置において、上記と同様な洗浄が行われる。このような洗浄を、ルーバ１０１の全面、あるいは所望の面に対して行うものである。
【００３３】
ここで、洗浄ノズル３の噴射角度は、連続的に変化・上下動させてもよいし、所定の角度で固定してもよく、角度を固定する場合、固定する角度およびその静止・噴射時間は、例えば、次のようにして設定する。すなわち、ルーバ１０１の開度や洗浄ノズル３の配設位置に基づいて、予め実験を行って設定したり、低い位置で試運転を行って設定したりする。あるいは、作業者Ｍが目視できる低い高さにも洗浄ノズル３を配設し、この洗浄ノズル３による洗浄状況を目視確認することで、高所における洗浄状況を把握するようにしてもよい。
【００３４】
以上のように、この冷却塔ルーバの洗浄装置１によれば、各洗浄ノズル３から噴射される高圧水によってルーバ１０１が洗浄されるため、作業者Ｍが梯子などに登って洗浄作業を行う必要がない。また、洗浄ノズル３の噴射角度を変えることで、ルーバ１０１の表面や裏面などを適正に洗浄し、さらに、洗浄台車５を動かして洗浄位置を変えることで、ルーバ１０１全面を適正に洗浄することが可能となる。すなわち、洗浄ノズル３の噴射角度を変えることで、ルーバ１０１の縦方向においてルーバ１０１を漏れなく洗浄し、洗浄台車５を移動することで、ルーバ１０１の横方向においてルーバ１０１を漏れなく洗浄することができる。
【００３５】
しかも、床Ｇに立っている作業者Ｍが操作棒４を上下方向に動かすだけで、遠隔で洗浄ノズル３の噴射角度を変えることができる。さらには、洗浄台車５がガイドレール６によって案内されて、ルーバ１０１に沿って移動するため、容易に移動することができるとともに、各洗浄ノズル３とルーバ１０１との位置関係が常に適正に保たれ、ルーバ１０１全体に対して適正に洗浄することが可能となる。
【００３６】
このように、容易かつ安全にルーバ１０１全体を適正に洗浄することが可能となる。しかも、洗浄管２などが搭載された洗浄台車５が移動可能なスペースを有するだけでよいため、歩廊スペースなどを確保することが困難な作業環境であっても、本装置１を使用して、ルーバ１０１を洗浄することが可能となる。また、給水ホースは本装置１と別体であり、使用時にのみ取り付けるため、本装置１による洗浄を行わないときには、洗浄台車５と洗浄管２と操作棒４のユニットをガイドレール６の端に寄せたり、ガイドレール６から取り外したりすることで、冷却塔１００周辺のスペースを有効に活用することができる。
【００３７】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、水道水を洗浄水としているが、冷却塔１００の冷却水配管の一部を分岐させて、冷却水を洗浄水として使用してもよい。また、ひとつの操作棒４の操作によって、すべての洗浄ノズル３の噴射角度を同一方向に変えているが、各洗浄ノズル３の噴射角度をそれぞれ個別に変えるようにしてもよい。さらに、操作棒４によらず、洗浄ノズル３の噴射角度を電動によって可変とし、タイマで定期的に噴射角度を変えるようにしてもよい。また、手動によって洗浄台車５などを移動させているが、電動によって移動させるようにしてもよい。さらには、高圧ポンプによって、予め系内（給水ホース、洗浄管２など）を高圧にし、洗浄管２の作業者手元近くに別途設ける弁の開弁によって、給水を開始してもよい。
【００３８】
一方、高圧流体として高圧水を使用しているが、圧縮空気を使用してもよい。この場合、給水本管に代えて高圧空気管を横引き管として設置し、コンプレッサと連通させたり、あるいは可搬式のエアポンプにエアホースをつないで、高圧空気を空気ノズルからルーバ１０１に向けて吹き付ける。また、この場合、シリカなどが完全に乾いている状態で高圧空気を吹き付け、除去されたシリカなどが冷却塔１００外に飛散した場合には、清掃を行う。
【符号の説明】
【００３９】
１        冷却塔ルーバの洗浄装置
２        洗浄管
２２      ソケット
３        洗浄ノズル
３１      接続管
３２      プラグ
４        操作棒（噴射角度変更手段）
５        洗浄台車
６        ガイドレール（ガイド手段）
７        ガイドユニット（ガイド手段）
１００    冷却塔
１０１    ルーバ
Ｍ        作業者
【図１】
0005641863.tif 000002
【図２】
0005641863.tif 000003
【図３】
0005641863.tif 000004
【図４】
0005641863.tif 000005
【図５】
0005641863.tif 000006
【図６】
0005641863.tif 000007
【図７】
0005641863.tif 000008
【図８】
0005641863.tif 000009